(57)【要約】【課題】電解液の含浸性を向上させること。【解決手段】電極組立体１４には、電極組立体１４を電極の積層方向に保持する保持テープｔ１〜ｔ６を貼り付ける。このとき、注入孔９０と対向する対向部分を有する電極組立体１４のタブ側端面１４ｃでは、対向部分を避けて保持テープｔ１，ｔ２を貼り付ける。これにより、注入孔９０を通じて注液された電解液を電極組立体１４に含浸させる流路が確保される。【選択図】図３
2016219328.tif 000002
【特許請求の範囲】
【請求項１】
異なる極性の電極が互いに絶縁された状態で交互に積層された電極組立体と、
前記電極組立体並びに電解液が収容されたケースと、
前記ケースに配置された注入孔と、
前記電極組立体において対向する一方の面から他方の面に亘って貼り付けられた保持テープと、を備え、
前記ケース内には、前記注入孔を通じて注入された電解液が前記電極組立体へ到達する最短流路を含む流路を想定でき、少なくとも前記最短流路は露出されている蓄電装置。
【請求項２】
前記電極組立体には、前記注入孔に対向する対向部分を有する対向面があり、
前記対向面における前記対向部分は前記最短流路に含まれ、
前記対向面において前記対向部分は露出されている請求項１に記載の蓄電装置。
【請求項３】
前記電極組立体の各電極の端部から突出したタブと、
前記タブと電気的に接続された導電部材と、
前記導電部材と電気的に接続された電極端子と、を備え、
前記電極端子は、前記ケースを構成するケース壁のうち、前記注入孔が位置するケース壁から一部が露出しており、
前記対向面は、前記タブが突出した前記電極組立体のタブ突出面であって、
当該タブ突出面には、前記保持テープが前記対向部分を避けて位置している請求項２に記載の蓄電装置。
【請求項４】
前記タブ突出面に位置している前記保持テープは、前記電極端子の直下に位置している請求項３に記載の蓄電装置。
【請求項５】
前記電極端子には、正極端子と負極端子とを含み、
少なくとも一方の電極端子と前記導電部材との通電経路上に、当該通電経路を遮断可能な電流遮断部材を有し、
前記電流遮断部材は、前記電極端子と前記タブ突出面に位置している前記保持テープとの間に配置されている請求項３又は請求項４に記載の蓄電装置。
【請求項６】
前記ケースは、前記電極端子の一部が挿通された挿通孔を有し、
前記電極端子は、前記挿通孔に挿通され、前記ケース外に一部が突出する軸部と、前記軸部の軸線方向に直交する断面の面積が前記軸部よりも大きく、前記導電部材と電気的に接続される接続部と、を有し、
前記接続部と前記タブ突出面に位置している前記保持テープとが近接している請求項３〜請求項５のうち何れか一項に記載の蓄電装置。
【請求項７】
前記電極組立体には、前記電解液の流路となり得る孔を有する保持テープが貼り付けられている請求項１〜請求項６のうち何れか一項に記載の蓄電装置。
【請求項８】
前記蓄電装置は、二次電池である請求項１〜請求項７のうち何れか一項に記載の蓄電装置。
【発明の詳細な説明】
【技術分野】
【０００１】
本発明は、蓄電装置に関する。
【背景技術】
【０００２】
ＥＶ（Electric Vehicle）やＰＨＶ（Plug in Hybrid Vehicle）などの車両には、原動機となる電動機への供給電力を蓄える蓄電装置としてリチウムイオン電池などの二次電池が搭載されている。二次電池は、正極電極及び負極電極を有する電極組立体と、この電極組立体を収容したケースと、正極及び負極の電極端子と、を有し、各極性の電極端子と電極組立体とが電気的に接続されている。そして、シート状の正極電極と負極電極とを積層した電極組立体には、電極の積層方向に電極組立体を保持する複数の保持テープが貼り付けられている（例えば、特許文献１参照）。また、二次電池には、ケース内に電解液を注入する注入孔を備えたものがある（例えば、特許文献１参照）。
【先行技術文献】
【特許文献】
【０００３】
【特許文献１】特開平７−２２０７５３号公報
【発明の概要】
【発明が解決しようとする課題】
【０００４】
二次電池における電解液の注入は、電極組立体を収容するケースを密閉した後、注入孔を通じて行われる。このため、注入孔を通じて注入した電解液の含浸性が悪いと、注入時に液漏れなどが発生する要因となる。
【０００５】
この発明は、このような実情に鑑みてなされたものであり、その目的は、電解液の含浸性を向上し得る蓄電装置を提供することにある。
【課題を解決するための手段】
【０００６】
上記問題点を解決するための蓄電装置は、異なる極性の電極が互いに絶縁された状態で交互に積層された電極組立体と、前記電極組立体並びに電解液が収容されたケースと、前記ケースに配置された注入孔と、前記電極組立体において対向する一方の面から他方の面に亘って貼り付けられた保持テープと、を備え、前記ケース内には、前記注入孔を通じて注入された電解液が前記電極組立体へ到達する最短流路を含む流路を想定でき、少なくとも前記最短流路は露出されている。これによれば、注入孔を通じて注入された電解液は、保持テープによって流路が遮断されず、電極組立体に到達する。このため、電解液の含浸性が向上される。
【０００７】
上記蓄電装置において、前記電極組立体には、前記注入孔に対向する対向部分を有する対向面があり、前記対向面における前記対向部分は前記最短流路に含まれ、前記対向面において前記対向部分は露出されているとよい。これによれば、対向部分が露出していることで、注入孔を通じて注入された電解液は電極組立体に直接到達し易く、電解液の含浸性が向上される。
【０００８】
上記蓄電装置において、前記電極組立体の各電極の端部から突出したタブと、前記タブと電気的に接続された導電部材と、前記導電部材と電気的に接続された電極端子と、を備え、前記電極端子は、前記ケースを構成するケース壁のうち、前記注入孔が位置するケース壁から一部が露出しており、前記対向面は、前記タブが突出した前記電極組立体のタブ突出面であって、当該タブ突出面には、前記保持テープが前記対向部分を避けて位置しているとよい。これによれば、タブ突出面に保持テープを貼り付けることで、電極組立体の保持力を維持できる。
【０００９】
上記蓄電装置において、前記タブ突出面に位置している前記保持テープは、前記電極端子の直下に位置しているとよい。これによれば、電極端子と電極組立体との間に保持テープを介在させることで、電極端子と電極組立体との短絡を抑制できる。
【００１０】
上記蓄電装置において、前記電極端子には、正極端子と負極端子とを含み、少なくとも一方の電極端子と前記導電部材との通電経路上に、当該通電経路を遮断可能な電流遮断部材を有し、前記電流遮断部材は、前記電極端子と前記タブ突出面に位置している前記保持テープとの間に配置されているとよい。これによれば、電流遮断部材とタブ突出面との間に保持テープが介在されるので、電流遮断部材とタブ突出面との直接的な接触を回避できる。
【００１１】
また、上記蓄電装置において、前記ケースは、前記電極端子の一部が挿通された挿通孔を有し、前記電極端子は、前記挿通孔に挿通され、前記ケース外に一部が突出する軸部と、前記軸部の軸線方向に直交する断面の面積が前記軸部よりも大きく、前記導電部材と電気的に接続される接続部と、を有し、前記接続部と前記タブ突出面に位置している前記保持テープとが近接していてもよい。これによれば、接続部とタブ突出面との直接的な接触を回避できる。
【００１２】
上記蓄電装置において、前記電極組立体には、前記電解液の流路となり得る孔を有する保持テープが貼り付けられてもよい。これによれば、保持テープにより、電解液の流路を確保しつつ、貼り付け面積も確保されて電極組立体が良好に保持される。
【００１３】
上記蓄電装置において、前記蓄電装置の好適な例としては、二次電池を挙げることができる。
【発明の効果】
【００１４】
本発明によれば、電解液の含浸性を向上させることができる。
【図面の簡単な説明】
【００１５】
【図１】二次電池を示す斜視図。
【図２】電極組立体の分解斜視図。
【図３】二次電池の分解斜視図。
【図４】二次電池の内部を示す一部断面図。
【図５】電極組立体の上面を示す平面図。
【図６】注入工程を説明する説明図。
【図７】保持テープの別例を示す斜視図。
【図８】保持テープの別例を示す斜視図。
【図９】保持テープの別例を示す一部断面図。
【図１０】保持テープの別例を示す一部断面図。
【発明を実施するための形態】
【００１６】
（第１の実施形態）
以下、蓄電装置を二次電池に具体化した第１の実施形態を図１〜図６にしたがって説明する。
【００１７】
図１に示すように、蓄電装置としての二次電池１０は、ケース１１を備えている。ケース１１は、一方に開口した有底箱状のケース本体１２と、ケース本体１２の開口部分を塞ぐ平板状の蓋１３とを備えている。ケース本体１２と蓋１３は、接合部Ｓによって接合されている。ケース本体１２と蓋１３とは、溶接によって接合されている。
【００１８】
ケース１１は、四角箱状であり、長辺と短辺を有する矩形平板状の底壁１２ａと、底壁１２ａの四辺から立設された複数の側壁と、を有する。底壁１２ａは、ケース本体１２の開口部分を塞ぐ蓋１３と対向する。複数の側壁は、底壁１２ａの四辺において短辺に立設されるとともに対向する２つの短側壁１２ｂ，１２ｃと、底壁１２ａの四辺において長辺に立設されるとともに対向する２つの長側壁１２ｄ，１２ｅと、からなる。長側壁１２ｄ，１２ｅは、短側壁１２ｂ，１２ｃよりも面積が大きい。この実施形態の二次電池１０は、その外観が角型をなす角型電池である。底壁１２ａ、短側壁１２ｂ，１２ｃ、長側壁１２ｄ，１２ｅ、及び蓋１３は、ケース１１を構成するケース壁である。
【００１９】
二次電池１０のケース１１には、電極組立体１４及び電解液（図示略）が収容されている。電解液は、二次電池１０の過充電などの異常時、詳しくは正極の電位が過度に高くなったときに水素ガスを発生する成分を含む。また、二次電池１０は、電極端子としての正極端子１５及び負極端子１６を備える。正極端子１５及び負極端子１６は、蓋１３に締結されている。また、正極端子１５及び負極端子１６は、一部がケース１１の内部に位置し、一部がケース１１（蓋１３）から外部に突出している。なお、本実施形態の二次電池１０は、例えばリチウムイオン電池である。
【００２０】
図２に示すように、電極組立体１４は、異なる極性の電極としての正極電極２１と負極電極２２とを、間にセパレータ２３を介在させて交互に積層した構造である。負極電極２２と正極電極２１との間は、セパレータ２３によって絶縁されている。なお、正極電極２１と、負極電極２２と、セパレータ２３とを積層した方向を電極組立体１４の積層方向とする。
【００２１】
正極電極２１、負極電極２２、及びセパレータ２３は、短辺及び長辺を有する長方形状のシートである。正極電極２１は、長方形状の正極金属箔（例えばアルミニウム箔）２１ａと、当該正極金属箔２１ａの両面にある正極活物質層２１ｂと、を有する。負極電極２２は、長方形状の負極金属箔（例えば銅箔）２２ａと、当該負極金属箔２２ａの両面にある負極活物質層２２ｂと、を有する。
【００２２】
正極電極２１は、当該正極電極２１の端部２１ｃから突出した形状の正極タブ３１を有する。同様に、負極電極２２は、当該負極電極２２の端部２２ｃから突出した形状の負極タブ３２を有する。正極電極２１と負極電極２２は、各タブ３１，３２の同一極性同士が列状に配置されるように積層されている。
【００２３】
図３に示すように、この実施形態の電極組立体１４は、正極電極２１と、負極電極２２と、セパレータ２３と、を積層することにより、直方体状に構成されている。電極組立体１４は、積層方向の両端に第１平面１４ａと第１平面１４ａに対向する第２平面１４ｂを有する。第１平面１４ａと第２平面１４ｂには、積層方向から見て正極活物質層２１ｂと負極活物質層２２ｂとが対向する対向領域が投影される。また、電極組立体１４は、第１平面１４ａと第２平面１４ｂを囲む四つの面のうち、その一つの面にタブ突出面としてのタブ側端面１４ｃを備える。また、電極組立体１４は、前記四つの面のうち、その一つの面に底面１４ｄを備え、底面１４ｄはタブ側端面１４ｃに対向する。また、電極組立体１４は、前記四つの面のうち、残りの二つの面に側面１４ｅ，１４ｆを備える。
【００２４】
電極組立体１４の各面は、電極組立体１４をケース１１に収容した状態においてケース１１を構成する各ケース壁に面する。具体的に言えば、第１平面１４ａ及び第２平面１４ｂは、ケース本体１２の長側壁１２ｄ，１２ｅに面する。タブ側端面１４ｃは、蓋１３に面する。底面１４ｄは、ケース本体１２の底壁１２ａに面する。側面１４ｅ，１４ｆは、ケース本体１２の短側壁１２ｂ，１２ｃに面する。
【００２５】
図３に示すように、各正極タブ３１は、電極組立体１４における積層方向の一方に寄せて集められた状態で他方に折り返されている。同様に、各負極タブ３２は、電極組立体１４における積層方向の一方に寄せて集められた状態で他方に折り返されている。各正極タブ３１及び各負極タブ３２は、電極組立体１４のタブ側端面１４ｃから突出し、電極組立体１４のタブ側端面１４ｃから蓋１３に向けて突出している。
【００２６】
図３及び図４に示すように、二次電池１０は、正極タブ３１と正極端子１５とを電気的に接続する導電部材としての正極導電部材４０を備える。正極導電部材４０は、一枚の金属板（本実施形態ではアルミニウム板）で構成されている。アルミニウム板は、箔状であることが望ましい。正極導電部材４０は、ケース１１の蓋１３と電極組立体１４との間に存在し、正極タブ３１及び正極端子１５の双方に接合されている。
【００２７】
図３に示すように、正極端子１５は、正極頭部５１と、正極頭部５１の座面から突出し、かつ外周面にねじ溝を有する正極軸部５２とを備えている。この実施形態において正極頭部５１は、図４に示すように、正極軸部５２の軸線方向に直交する断面の面積が正極軸部５２よりも大きく、また正極導電部材４０と電気的に接続された接続部である。この実施形態の正極頭部５１は、平面視円形の柱状部材である。このため、正極頭部５１は、正極軸部５２の直径よりも大きな直径を有し、拡径された部分となる。また、図４に示すように、正極軸部５２の一部は、蓋１３に有る貫通孔１３ｂを介してケース１１外に突出している。この実施形態において、正極頭部５１が挿通される蓋１３の貫通孔１３ｂは、正極端子１５の一部が挿通された挿通孔となる。そして、正極軸部５２は、絶縁性のＯリング５３に挿通されている。また、正極軸部５２は、絶縁性のフランジ付きリング５４に挿通されている。フランジ付きリング５４は、貫通孔１３ｂに嵌合する筒状である。
【００２８】
正極軸部５２には、フランジ付きリング５４の上からナット５５が螺合されており、正極端子１５と蓋１３とはユニット化されている。なお、フランジ付きリング５４は、正極軸部５２と蓋１３の貫通孔１３ｂの周縁部との間、及びナット５５と蓋１３との間に介在している。
【００２９】
二次電池１０は、正極頭部５１の一部を覆う絶縁性の第１正極絶縁部材５７と、正極導電部材４０と電極組立体１４との間に介在する絶縁性の第２正極絶縁部材５８とを備えている。第１正極絶縁部材５７は、蓋１３と正極頭部５１との接触を規制するものであり、正極頭部５１に対して蓋１３側から取り付けられている。第１正極絶縁部材５７は、正極頭部５１の座面及び外周面の一部を覆っている。第２正極絶縁部材５８は、正極導電部材４０と電極組立体１４との接触を規制するものである。
【００３０】
図３及び図４に示すように、二次電池１０は、負極タブ３２と負極端子１６とを電気的に接続する導電部材としての負極導電部材６０を備える。負極導電部材６０は、一枚の金属板（本実施形態では銅板）で構成されている。銅板は、箔状であることが望ましい。負極導電部材６０は、ケース１１の蓋１３と電極組立体１４との間に存在する。負極導電部材６０は、ケース１１の蓋１３と電極組立体１４との間に存在し、負極タブ３２及び負極端子１６の双方に接合されている。
【００３１】
図３に示すように、負極端子１６は、負極頭部７１と、負極頭部７１の座面から突出し、かつ外周面にねじ溝を有する負極軸部７２とを備えている。この実施形態において負極頭部７１は、図４に示すように、負極頭部７１の軸線方向に直交する断面の面積が負極軸部７２よりも大きく、また負極導電部材６０と電気的に接続された接続部である。この実施形態の負極頭部７１は、平面視円形の柱状部材である。このため、負極頭部７１は、負極軸部７２の直径よりも大きな直径を有し、拡径された部分となる。また、図４に示すように、負極軸部７２の一部は、蓋１３に有る貫通孔１３ｂを介してケース１１外に突出している。この実施形態において、負極頭部７１が挿通される蓋１３の貫通孔１３ｂは、負極端子１６の一部が挿通された挿通孔となる。そして、負極軸部７２は、絶縁性のＯリング７３に挿通されている。また、負極軸部７２は、絶縁性のフランジ付きリング７４に挿通されている。フランジ付きリング７４は、貫通孔１３ｂに嵌合する筒状である。
【００３２】
負極軸部７２には、フランジ付きリング７４の上からナット７５が螺合されており、負極端子１６と蓋１３とがユニット化されている。なお、フランジ付きリング７４は、負極軸部７２と蓋１３の貫通孔１３ｂの周縁部との間、及びナット７５と蓋１３との間に介在している。
【００３３】
また、図４に示すように、この実施形態の二次電池１０は、一方の極性の電極端子である負極端子１６と負極導電部材６０との通電経路上に配置され、その通電経路を遮断可能な電流遮断部材８０を有する。電流遮断部材８０は、ケース内に発生したガスによって作動する。このため、電流遮断部材８０は、作動していないときには負極タブ３２を介した負極端子１６と電極組立体１４との通電経路の一部を構成し、ケース１１内に発生したガスの圧力を受けて作動したときに上記通電経路を遮断する。
【００３４】
また、二次電池１０は、負極頭部７１の座面及び外周面を覆う絶縁性の負極絶縁部材８７と、負極頭部７１と、電流遮断部材８０と、をユニット化するカシメ部材８８を備えている。負極絶縁部材８７は、蓋１３と負極頭部７１との接触を規制するものであり、負極頭部７１に対して蓋１３側から取り付けられている。
【００３５】
また、蓋１３には、ケース本体１２に電解液を注入するための注入孔９０が穿設されている。注入孔９０は、ケース１１の外側に位置する蓋１３の外面１３ｃとケース１１の内側に位置する蓋１３の内面１３ｄとを貫通している。この実施形態において注入孔９０は、ケース本体１２に電極組立体１４を収容し、蓋１３を接合した状態において、正極端子１５と負極端子１６との間であって、さらに正極タブ３１と負極タブ３２との間に位置する。そして、注入孔９０は、電解液の注入後、図１に示すように閉塞部材９１によって閉塞されている。閉塞部材９１は、蓋１３の外面１３ｃに固定されており、ケース１１外に露出している。なお、蓋１３に対する閉塞部材９１の固定方法は、例えば、溶接による固定、締結による固定、あるいはかしめによる固定がある。
【００３６】
また、図１、図３及び図４に示すように、二次電池１０は、正極導電部材４０及び負極導電部材６０と、蓋１３との間に配置される絶縁カバー１００を備えている。絶縁カバー１００は、ケース本体１２に電極組立体１４を収容し、蓋１３を接合した状態において、ケース本体１２と蓋１３との接合部Ｓ側に位置する。また、絶縁カバー１００は、配置した状態において、電極組立体１４のタブ側端面１４ｃに対向する。絶縁カバー１００は、例えば樹脂などで構成されている。絶縁カバー１００は、短辺と長辺とを有する長方形の板状の本体部１０１と、当該本体部１０１の短手方向の端部から下方に起立した起立部１０２と、を有している。また、絶縁カバー１００の本体部１０１には、蓋１３の注入孔９０と対向する部位に連通孔１０３が穿設されている。
【００３７】
また、電極組立体１４には、図３及び図４に示すように、複数の保持テープｔ１，ｔ２，ｔ３，ｔ４，ｔ５，ｔ６が貼り付けられている。各保持テープｔ１〜ｔ６は、正極電極２１及び負極電極２２の積層方向に電極組立体１４を保持する。保持テープｔ１，ｔ２は、第１平面１４ａ、タブ側端面１４ｃ、第２平面１４ｂに掛けて貼り付けられている。保持テープｔ１，ｔ２は、第１平面１４ａ及び第２平面１４ｂの各長辺に沿う方向に、所定の間隔をおいて貼り付けられている。なお、第１平面１４ａ及び第２平面１４ｂの各長辺に沿う方向は、タブ側端面１４ｃの長辺に沿う方向と一致する。また、保持テープｔ３，ｔ４は、第１平面１４ａ、側面１４ｅ、第２平面１４ｂに掛けて貼り付けられている。保持テープｔ５，ｔ６は、第１平面１４ａ、側面１４ｆ、第２平面１４ｂに掛けて貼り付けられている。保持テープｔ３〜ｔ６は、第１平面１４ａ及び第２平面１４ｂの各短辺に沿う方向に、所定の間隔をおいて貼り付けられている。これらの保持テープｔ１〜ｔ６は、電極組立体１４において対向する一方の面（第１平面１４ａ）から他方の面（第２平面１４ｂ）に亘って設けられている。
【００３８】
図５に示すように、この実施形態において電極組立体１４のタブ側端面１４ｃには、電極組立体１４がケース１１に収容された状態で、蓋１３の注入孔９０を投影できる。この実施形態の二次電池１０において注入孔９０は、正極端子１５と負極端子１６との間であって、さらに正極タブ３１と負極タブ３２との間に投影される。そして、この実施形態では、電極組立体１４のタブ側端面１４ｃが、注入孔９０と対向する対向部分Ｍを有する対向面となる。なお、タブ側端面１４ｃには、注入孔９０と対向関係にある絶縁カバー１００の連通孔１０３も投影できる。
【００３９】
この実施形態では、タブ側端面１４ｃにおいて上記した注入孔９０と対向する対向部分Ｍを避けた部分（図４中にドットハッチングで示す）を、保持テープｔ１，ｔ２の貼り付け位置としている。つまり、電極組立体１４に貼り付けられる保持テープｔ１〜ｔ６のうち、タブ側端面１４ｃに位置する保持テープｔ１，ｔ２は、注入孔９０との対向部分Ｍを避けて位置している。
【００４０】
保持テープｔ１は、図３〜図５に示すように、正極端子１５の直下に位置するようにタブ側端面１４ｃの端に寄せて貼り付けられている。同様に、保持テープｔ２は、図３〜図５に示すように、負極端子１６の直下に位置するようにタブ側端面１４ｃの端に寄せて貼り付けられている。上記説明のタブ側端面１４ｃの端は、タブ側端面１４ｃと側面１４ｆとが交差する角部、並びにタブ側端面１４ｃと側面１４ｅとが交差する角部のそれぞれに位置する部位である。保持テープｔ１，ｔ２は、第１平面１４ａ並びに第２平面１４ｂの長辺方向に沿う方向の長さ（幅）が同一若しくはほぼ同一である。また、保持テープｔ１，ｔ２は、第１平面１４ａ、タブ側端面１４ｃ、第２平面１４ｂに掛かる方向（幅に直交する方向）に沿う方向の長さが同一若しくはほぼ同一である。
【００４１】
前述のように、この実施形態において正極端子１５の直下に位置する保持テープｔ１は、正極端子１５を構成する正極頭部５１の下方に位置しており、その正極頭部５１に近接して配置されている。また、前述のように、この実施形態において負極端子１６の直下に位置する保持テープｔ２は、負極端子１６の下方に電流遮断部材８０が位置することから、電流遮断部材８０の下方に位置しており、その電流遮断部材８０に近接して配置されている。つまり、この実施形態において電流遮断部材８０は、負極端子１６と保持テープｔ２との間に配置されている。
【００４２】
次に、この実施形態の二次電池１０の作用を説明する。
ケース本体１２への電解液の注入は、ケース本体１２に電極組立体１４を収容するとともにケース本体１２の開口部分を蓋１３で閉塞した後に行われる。
【００４３】
図６に示すように、電解液を注入する際には、注入孔９０に注入ノズル９４が挿入されるとともに、注入ノズル９４を介してケース本体１２に電解液が注入される。この際、ケース本体１２には既に電極組立体１４が収容されていることから、注入された電解液は電極組立体１４に向かって落下する。そして、電極組立体１４に向かって落下した電解液は、電極組立体１４に含浸される。すなわち、ケース１１内には、注入孔９０を通じて注入された電解液を電極組立体１４に含浸させる流路を想定できる。そして、電解液のうち、注入孔９０の直下を流れる電解液は、図６に矢印Ｙで示す最短流路を通って電極組立体１４のタブ側端面１４ｃに到達する。なお、最短流路には、電極組立体１４のタブ側端面１４ｃにおける注入孔９０との対向部分Ｍも含む。
【００４４】
この実施形態の二次電池１０では、図３〜図５に示すように、タブ側端面１４ｃにおいて注入孔９０との対向部分Ｍを避けた位置に保持テープｔ１，ｔ２が貼り付けられている。これにより、注入孔９０から注入された電解液は、保持テープｔ１，ｔ２によって流通を阻害されることなく、電極組立体１４のタブ側端面１４ｃに直接到達し、電極組立体１４に含浸される。つまり、ケース１１内に想定される電解液の流路のうち、少なくとも最短流路（図６に矢印Ｙで示す流路）は、ケース１１内において露出されているとともに、対向部分Ｍを避けて保持テープｔ１，ｔ２が貼り付けられていることによってその対向部分Ｍも露出されている。その結果、この実施形態の二次電池１０では、保持テープｔ１，ｔ２の貼り付け位置により、注入孔９０を通じて注入された電解液が電極組立体１４に含浸され易くなるように電解液の流路が設けられている。なお、この実施形態の二次電池１０では、注入孔９０の直下に絶縁カバー１００の連通孔１０３が位置している。このため、図５に示すように、注入孔９０を通じて注液された電解液は、絶縁カバー１００の連通孔１０３を通ってタブ側端面１４ｃに到達する。
【００４５】
したがって、この実施形態では、以下に示す効果を得ることができる。
（１）電極組立体１４を保持する保持テープｔ１〜ｔ６を貼り付けた場合であっても、保持テープｔ１，ｔ２によって電解液の流路が遮断されず、当該流路が露出していることにより、電解液の含浸性を向上させることができる。
【００４６】
（２）つまり、注入孔９０を通じて注入された電解液は、電極組立体に直接到達し易く、電解液の含浸性を向上させることができる。特に、注入孔９０との対向部分Ｍを露出させることで、電解液の含浸性を向上させることができる。
【００４７】
（３）タブ側端面１４ｃに保持テープｔ１，ｔ２を貼り付けることで、電極組立体１４の保持力を維持できる。
（４）特に、保持テープｔ１，ｔ２が電極組立体１４のタブ側端面１４ｃの端に位置していることにより、電極組立体１４を良好に保持することができる。これにより、電極組立体１４の積層ずれなどによる電極の短絡などを回避することができる。
【００４８】
（５）また、保持テープｔ１，ｔ２を電極端子（正極端子１５、負極端子１６）と電極組立体１４との間に介在させることで、電極端子と電極組立体１４との短絡を抑制できる。
【００４９】
（６）また、正極端子１５においては正極頭部５１とタブ側端面１４ｃとの間に保持テープｔ１が位置し、負極端子１６においては電流遮断部材８０とタブ側端面１４ｃとの間に保持テープｔ２が位置している。これにより、正極頭部５１や電流遮断部材８０のそれぞれがタブ側端面１４ｃに近接していても、保持テープｔ１，ｔ２が間に介在されていることにより、例えば電極組立体１４をケース本体１２に収容させるときなどに正極頭部５１や電流遮断部材８０がタブ側端面１４ｃに接触することを抑制できる。つまり、直接的な接触によって正極頭部５１や電流遮断部材８０、あるいはタブ側端面１４ｃが損傷してしまうことを回避できる。
【００５０】
（７）また、ケース１１には、絶縁カバー１００を収容している。これにより、蓋１３と、正極導電部材４０並びに負極導電部材６０との絶縁を確保できる。これに加え、ケース１１の異物や、あるいは注入作業において注入孔９０から入り込んだ異物などが、電極組立体１４のタブ側端面１４ｃに直接、落下することが抑制される。したがって、正極電極２１と負極電極２２との短絡の要因となる異物が電極組立体１４に入り込むことを抑制できる。
【００５１】
（８）保持テープｔ１，ｔ２を、注入孔９０との対向部分Ｍを避けるように貼り付けるので、保持テープ自体に特別な加工などを施す必要がない。このため、二次電池１０の製造工程を簡素化できる。
【００５２】
（第２の実施形態）
次に、蓄電装置を具体化した第２の実施形態について図７にしたがって説明する。以下に説明する実施形態では、既に説明した実施形態と同一構成については同一符号を付すなどして、その重複する説明を省略又は簡略する。
【００５３】
図７に示すように、この実施形態では、第１の実施形態の保持テープｔ１，ｔ２に代えて形状の異なる保持テープｔ７を貼り付けている。保持テープｔ７は、電極組立体１４のタブ側端面１４ｃであって、正極タブ３１と負極タブ３２との間に貼り付けられている。また、保持テープｔ７は、注入孔９０の直下に位置するように、第１平面１４ａ、タブ側端面１４ｃ、第２平面１４ｂに掛けて貼り付けられている。そして、この実施形態の保持テープｔ７には、電解液の流路となり得る孔９５が穿設されている。孔９５は、注入孔９０の輪郭形状と同一形状若しくはほぼ同一形状である。そして、保持テープｔ７は、孔９５の全部又は一部が注入孔９０との対向部分Ｍに対向するように貼り付けられている。これにより、保持テープｔ７の孔９５は、電解液が電極組立体１４へ到達する最短流路に位置することになる。なお、図７は、絶縁カバー１００を省略して図示している。
【００５４】
次に、この実施形態の二次電池１０の作用を説明する。
この実施形態において保持テープｔ７には、注入孔９０との対向部分Ｍに孔９５が穿設されている。これにより、注入孔９０から注入された電解液は、保持テープｔ７によって流通を阻害されることなく、電極組立体１４のタブ側端面１４ｃに到達することになる。つまり、この実施形態の二次電池１０では、保持テープｔ７により、注入孔９０を通じて注入された電解液が電極組立体１４に含浸され易くなるように電解液の流路が設けられている。
【００５５】
したがって、この実施形態では、第１の実施形態の効果（１）〜（７）に加え、以下に示す効果を得ることができる。
（９）保持テープｔ７に電解液の流路を作り、タブ側端面１４ｃに電解液が流れるようにしている。このため、保持テープｔ７により、電解液の流路を確保しつつ、貼り付け面積も確保されて電極組立体を良好に保持できる。そして、この実施形態では、単一の保持テープｔ７に電解液の流路として孔９５を穿設しているので、流路を簡単に作ることができる。
【００５６】
なお、本実施形態は以下のように変更してもよい。
○  図８に示すように、第２の実施形態における保持テープｔ７に代えて、第１の保持テープｔ８ａと第２の保持テープｔ８ｂとを繋いで貼り付けても良い。第１の保持テープｔ８ａと第２の保持テープｔ８ｂのそれぞれは側方に開口する切欠部９６を有する。そして、第１の保持テープｔ８ａと第２の保持テープｔ８ｂとを繋いで貼り付けることにより、保持テープｔ７の孔９５に相当する孔９５ａが形成される。孔９５ａは、注入孔９０の輪郭形状と同一形状若しくはほぼ同一形状である。そして、第１の保持テープｔ８ａと第２の保持テープｔ８ｂは、孔９５ａの全部又は一部が注入孔９０との対向部分Ｍに対向するように貼り付けられている。これにより、孔９５ａは、電解液が電極組立体１４へ到達する最短流路に位置することになる。この構成でも、第２の実施形態と同様の効果を得ることができる。なお、図８は、絶縁カバー１００を省略して図示している。
【００５７】
○  図９に示すように、第２の実施形態の保持テープｔ７を複数枚、重ね合わせて貼り付けても良い。保持テープｔ７を複数枚重ねると、孔９５の深さ方向の長さが増加する。例えば、図９の例示では、保持テープｔ７を２枚重ね合わせていることから、１枚の保持テープｔ７を貼り付けた場合に比して２倍の深さを有する。この構成によれば、孔９５の内周面を壁として機能させることができるので、タブ側端面１４ｃから跳ね返った電解液の飛散を抑制することができる。なお、図９の構成は、図８の別例で説明した第１の保持テープｔ８ａと第２の保持テープｔ８ｂによっても実現できる。
【００５８】
○  上記図９の別例の思想は、厚みを増した単一の保持テープによっても実現できる。
○  上記図９の別例において、複数枚の保持テープｔ７の材質を異ならせても良い。例えば、２枚の保持テープｔ７を重ね合わせる場合、下側の保持テープｔ７は電解液を吸収できる材質によって構成する一方で、上側の保持テープｔ７は電解液を吸収しない材質によって構成しても良い。
【００５９】
○  図１０に示すように、第２の実施形態で説明した孔９５を有する保持テープｔ７に代えて、孔９８の内周面としてテープの貼り付け面に向かって下る面を有する保持テープｔ９を、タブ側端面１４ｃに貼り付けても良い。下る面を有する保持テープｔ９によれば、タブ側端面１４ｃから跳ね返った電解液は、下る面に付着し、その下る面に沿ってタブ側端面１４ｃへ導かれる、若しくは戻される。したがって、タブ側端面１４ｃから跳ね返った電解液の飛散を抑制することができる。なお、下る面には、電解液を弾くようなコーティングを施しても良い。また、保持テープｔ９は、孔９８の全部又は一部が注入孔９０との対向部分Ｍに対向するように貼り付けられている。これにより、孔９８は、電解液が電極組立体１４へ到達する最短流路に位置することになる。
【００６０】
○  上記図１０の別例の思想は、単一の保持テープによって実現できるとともに、図９の別例のように複数枚の保持テープを重ね合わせることによっても実現できる。
○  注入孔９０よりも連通孔１０３を大きくしても良い。この場合の対向部分Ｍは、注入孔９０を基準として設定すれば良い。また、注入孔９０よりも連通孔１０３を小さくしても良い。この場合の対向部分Ｍも、注入孔９０を基準として設定すれば良い。
【００６１】
○  第１の実施形態において、タブ側端面１４ｃにある保持テープｔ１，ｔ２の配置は、注入孔９０との対向部分Ｍを避けていれば変更しても良い。例えば保持テープｔ１は正極タブ３１寄りに位置し、保持テープｔ２は負極タブ３２寄りに位置していても良い。また、第１の実施形態において、保持テープｔ３〜ｔ６によって電極組立体１４を保持できるのであれば、保持テープｔ１，ｔ２を貼り付けなくても良い。
【００６２】
○  第１の実施形態の保持テープｔ１，ｔ２に加えて、第２の実施形態の保持テープｔ７、若しくは図８の第１の保持テープｔ８ａと第２の保持テープｔ８ｂを貼り付けても良い。また、同様に、第１の実施形態の保持テープｔ１，ｔ２に加えて、図９又は図１０の保持テープｔ７，ｔ９を貼り付けても良い。
【００６３】
○  電極組立体１４において側面１４ｅ，１４ｆにある保持テープｔ３〜ｔ６の配置（個数を含む）は変更しても良い。また、底面１４ｄに保持テープを貼り付けても良い。
○  電極組立体１４において、注入孔９０との対向部分Ｍが、タブ側端面１４ｃとは異なる面に存在していても良い。
【００６４】
○  二次電池１０は、電流遮断部材８０に加えて圧力開放弁を備えていても良い。圧力開放弁は、ケース１１内に発生したガスによって作動することでケース１１内の圧力をケース１１外に開放させる。
【００６５】
○  第１の実施形態では、図５に示すように、注入孔９０の全体を避ける位置に保持テープを貼り付けたが、保持テープは少なくとも注入孔９０に挿入される注入ノズル９４の液噴射部を避けて貼り付けても良い。例えば、注入孔９０の中心付近を避けて貼り付けても良い。
【００６６】
○  電流遮断部材８０を設ける一方の極性の電極端子を正極端子１５としても良い。このとき、一方の極性の電極端子である正極端子１５と接続される導電部材は正極導電部材４０となる。
【００６７】
○  電流遮断部材８０は、電極端子に一体化されたものでなくても良い。例えば、負極導電部材６０の途中に位置して通電経路を構成し、ガスの圧力を受けることで通電経路を遮断しても良い。
【００６８】
○  電流遮断部材８０の具体的な構成は変更しても良い。
○  電極組立体１４の具体的な構成は変更しても良い。例えば、正極電極２１、負極電極２２、セパレータ２３の形状を変更しても良い。例えば、正面視正方形でも良い。
【００６９】
○  絶縁カバー１００を装着してなくても良い。
○  正極端子１５の正極頭部５１や負極端子１６の負極頭部７１は、平面視非円形状（多角形状など）の柱状部材としても良い。
【００７０】
○  正極導電部材４０や負極導電部材６０は、各実施形態のように正極端子１５や負極端子１６の方向に向けて下る湾曲部を有しても良いし、平坦状の部材としても良い。
○  二次電池１０は、異常時に水素ガス以外のガス（例えばメタンガスや、二酸化炭素、一酸化炭素など）を発生する成分を含む電解液を有する二次電池にも適用可能である。
【００７１】
○  実施形態は、例えばキャパシタなど、二次電池以外の蓄電装置にも適用可能である。
○  二次電池１０は、車載用に限らず、住宅などに用いる定置用でも良い。
【００７２】
○  積層型の二次電池１０に限らず、帯状の正極電極と帯状の負極電極を捲回して層状に積層した捲回型の二次電池に適用しても良い。
次に、前記実施形態並びに前記別例から把握できる技術的思想を追記する。
【００７３】
（イ）孔を有する保持テープは、電極組立体において他の位置に貼り付けられている保持テープよりも厚い。
【符号の説明】
【００７４】
１０…蓄電装置としての二次電池、１１…ケース、１３…蓋、１３ｂ…挿通孔としての貫通孔、１４…電極組立体、１４ｃ…対向面並びにタブ突出面としてのタブ側端面、１５…電極端子としての正極端子、１６…電極端子としての負極端子、３１…正極タブ、３２…負極タブ、４０…導電部材としての正極導電部材、５１…接続部としての正極頭部、５２…軸部としての正極軸部、６０…導電部材としての負極導電部材、７１…接続部としての負極頭部、７２…軸部としての負極軸部、８０…電流遮断部材、９０…注入孔、９５，９５ａ，９８…孔、Ｍ…対向部分、ｔ１〜ｔ７，ｔ８ａ，ｔ８ｂ，ｔ９…保持テープ。
【図１】
2016219328.tif 000003
【図２】
2016219328.tif 000004
【図３】
2016219328.tif 000005
【図４】
2016219328.tif 000006
【図５】
2016219328.tif 000007
【図６】
2016219328.tif 000008
【図７】
2016219328.tif 000009
【図８】
2016219328.tif 000010
【図９】
2016219328.tif 000011
【図１０】
2016219328.tif 000012